(57)【要約】【課題】特別な操作を行うことなく顧客に応じた自動的にプリントを行なうことができるプリント作成システムを提供する。【解決手段】  このプリント作成システムは、記憶媒体に記録された画像データと、予め決まったプリント作成条件でプリントするための情報を得、プリント手段により記憶媒体に記録された画像データを予め決まったプリント作成条件によりプリントを行わせる。また、予め決まったプリント作成条件でプリントするための情報を管理サーバに有し、予め決まったプリント作成条件でプリントするための情報に対応付する情報を記憶媒体に有し、記憶媒体に記録された画像データと、対応付する情報とを得て、対応付する情報に基づき管理サーバの予め決まったプリント作成条件でプリントするための情報を得、プリント手段により記憶媒体に記録された画像データを予め決まったプリント作成条件によりプリントを行わせる。【選択図】図１
2006263922.tif 000002
【特許請求の範囲】
【請求項１】
記憶媒体に記憶された画像データをプリントするプリント手段と、
前記プリント手段により記憶媒体に記録された画像データを予め決まったプリント作成条件によりプリントを行わせる制御手段とを有し、
前記予め決まったプリント作成条件でプリントするための情報を前記記憶媒体に有し、
前記制御手段は、前記記憶媒体に記録された画像データと、前記予め決まったプリント作成条件でプリントするための情報を得、
前記プリント手段により記憶媒体に記録された画像データを予め決まったプリント作成条件によりプリントを行わせることを特徴とするプリント作成システム。
【請求項２】
記憶媒体に記憶された画像データをプリントするプリント手段と、
前記プリント手段により記憶媒体に記録された画像データを予め決まったプリント作成条件によりプリントを行わせる制御手段とを有し、
前記予め決まったプリント作成条件でプリントするための情報を管理サーバに有し、
前記予め決まったプリント作成条件でプリントするための情報に対応付する情報を前記記憶媒体に有し、
前記制御手段は、前記記憶媒体に記録された画像データと、前記対応付する情報とを得て、
前記対応付する情報に基づき前記管理サーバの前記予め決まったプリント作成条件でプリントするための情報を得、
前記プリント手段により記憶媒体に記録された画像データを予め決まったプリント作成条件によりプリントを行わせることを特徴とするプリント作成システム。
【請求項３】
前記記憶媒体毎の画像データのプリント時間を演算するプリント時間演算手段と、
前記プリント時間に応じた演出を実行する演出実行手段と、
を備えることを特徴とする請求項１または請求項2に記載のプリント作成システム。
【請求項４】
前記記憶媒体は、利用ポイント機能を有し、
利用ポイントを一定期間に前記記憶媒体の画像データがプリントされた回数に基づいて割り増し加算する利用ポイント演算手段を備えることを特徴とする請求項１乃至請求項3のいずれか１項に記載のプリント作成システム。
【請求項５】
前記管理サーバと前記管理サーバ以外のサーバとが顧客の電話番号によりリンク可能であり、
リンクする前記電話番号は、暗号化部分と非暗号化部分とを含むことを特徴とする請求項2乃至請求項4のいずれか１項に記載のプリント作成システム。
【請求項６】
前記記憶媒体は、画像データの所定コマを無料でプリントする無料プリント機能を有し、
前記制御手段は、
前記記憶媒体に記録された画像データと、無料プリント設定情報とを得て、
前記記憶媒体に記録された画像データのプリントコマ数が無料プリント設定コマ数以上選択されると警告し、無料プリント設定コマ数以内選択されると次のプリント可能コマ数を知らせることを特徴とする請求項1乃至請求項5のいずれか１項に記載のプリント作成システム。
【発明の詳細な説明】
【技術分野】
【０００１】
この発明は、プリント作成システムに関し、更に詳しくは記憶媒体に記録された画像データをプリントするプリント作成システムに関する。
【背景技術】
【０００２】
例えばデジタルカメラ等で撮影して得られたデジタル画像データを、カメラのメモリカードなどの記憶媒体に記録し、この記憶媒体をカラープリンタ等によってプリントすることが近年行われている（例えば、特許文献１）。
【０００３】
また、注文する内容を店頭で作成するとした場合に要する時間や発生する混雑状況に鑑みて、撮影したデジタル画像データをコンピュータ等に入力し、処理して事前にプリント作成情報を作成し、このプリント作成情報を着脱自在の記憶媒体（ＰＣカード、各種メモリカード）に移してプリント受付に用いることも提案されている。
【特許文献１】特開２００３−３１６８９２号公報（第１頁〜第１９頁、図１〜図１０）
【発明の開示】
【発明が解決しようとする課題】
【０００４】
このようにして記憶媒体から作成されるプリントは、顧客の操作で記憶媒体を受付端末にセットして画像データを読み取らせ、ついでプリント作成条件を入力してプリンタでプリントするようにすると、受付端末を増やすことで待ち時間を短縮でき、かつ顧客が自由にプリント作成条件を入力したり、あるいは変更したりでき、顧客サービスの向上、ＤＰＥ店の店員の削減ができるなど利点がある。
【０００５】
ところで、顧客によっては決まったモードでしかプリントしない人も多い。特に高齢者は、例えば全コマＬ判プリントができればよい場合が多いが、顧客がプリント作成条件を入力するのは面倒であるし、間違いが起こりやすい。
【０００６】
この発明は、このような課題に鑑みてなされたものであって、特別な操作を行うことなく顧客に応じた自動的にプリントを行なうことができるプリント作成システムを提供することを目的としている。
【課題を解決するための手段】
【０００７】
前記課題を解決し、かつ目的を達成するために、この発明は、以下のように構成した。
【０００８】
請求項1に記載の発明は、
記憶媒体に記憶された画像データをプリントするプリント手段と、
前記プリント手段により記憶媒体に記録された画像データを予め決まったプリント作成条件によりプリントを行わせる制御手段とを有し、
前記予め決まったプリント作成条件でプリントするための情報を前記記憶媒体に有し、
前記制御手段は、前記記憶媒体に記録された画像データと、前記予め決まったプリント作成条件でプリントするための情報を得、
前記プリント手段により記憶媒体に記録された画像データを予め決まったプリント作成条件によりプリントを行わせることを特徴とするプリント作成システムである。
【０００９】
請求項２に記載の発明は、
記憶媒体に記憶された画像データをプリントするプリント手段と、
前記プリント手段により記憶媒体に記録された画像データを予め決まったプリント作成条件によりプリントを行わせる制御手段とを有し、
前記予め決まったプリント作成条件でプリントするための情報を管理サーバに有し、
前記予め決まったプリント作成条件でプリントするための情報に対応付する情報を前記記憶媒体に有し、
前記制御手段は、前記記憶媒体に記録された画像データと、前記対応付する情報とを得て、
前記対応付する情報に基づき前記管理サーバの前記予め決まったプリント作成条件でプリントするための情報を得、
前記プリント手段により記憶媒体に記録された画像データを予め決まったプリント作成条件によりプリントを行わせることを特徴とするプリント作成システムである。
【００１０】
請求項３に記載の発明は、
前記記憶媒体毎の画像データのプリント時間を演算するプリント時間演算手段と、
前記プリント時間に応じた演出を実行する演出実行手段と、
を備えることを特徴とする請求項１または請求項2に記載のプリント作成システムである。
【００１１】
請求項４に記載の発明は、
前記記憶媒体は、利用ポイント機能を有し、
利用ポイントを一定期間に前記記憶媒体の画像データがプリントされた回数に基づいて割り増し加算する利用ポイント演算手段を備えることを特徴とする請求項１乃至請求項3のいずれか１項に記載のプリント作成システムである。
【００１２】
請求項５に記載の発明は、
前記管理サーバと前記管理サーバ以外のサーバとが顧客の電話番号によりリンク可能であり、
リンクする前記電話番号は、暗号化部分と非暗号化部分とを含むことを特徴とする請求項２乃至請求項４のいずれか１項に記載のプリント作成システムである。
【００１３】
請求項６に記載の発明は、
前記記憶媒体は、画像データの所定コマを無料でプリントする無料プリント機能を有し、
前記制御手段は、
前記記憶媒体に記録された画像データと、無料プリント設定情報とを得て、
前記記憶媒体に記録された画像データのプリントコマ数が無料プリント設定コマ数以上選択されると警告し、無料プリント設定コマ数以内選択されると次のプリント可能コマ数を知らせることを特徴とする請求項1乃至請求項5のいずれか１項に記載のプリント作成システムである。
【発明の効果】
【００１４】
前記構成により、この発明は、以下のような効果を有する。
【００１５】
請求項1に記載の発明によれば、予め決まったプリント作成条件でプリントするための情報を記憶媒体に有し、記憶媒体に記録された画像データと、予め決まったプリント作成条件でプリントするための情報を得、記憶媒体に記録された画像データを予め決まったプリント作成条件により、特別な操作を行うことなく顧客に応じたプリントを自動的に行なうことができる。
【００１６】
請求項２に記載の発明によれば、予め決まったプリント作成条件でプリントするための情報を管理サーバに有し、予め決まったプリント作成条件でプリントするための情報に対応付する情報を記憶媒体に有し、記憶媒体に記録された画像データと、対応付する情報とを得て、対応付する情報に基づき管理サーバの予め決まったプリント作成条件でプリントするための情報を得、記憶媒体に記録された画像データを予め決まったプリント作成条件により、特別な操作を行うことなく顧客に応じたプリントを自動的に行なうことができる。
【００１７】
請求項３に記載の発明によれば、プリント時間に応じた演出を実行し、例えばプリント待ち時間に２０枚ごとにルーレットが回り、あたりで景品引換えなどアトラクションを行いプリント待ち時間を有効活用できる。
【００１８】
請求項４に記載の発明によれば、記憶媒体は利用ポイント機能を有し、利用ポイントが一定期間に記憶媒体の画像データがプリントされた回数に基づいて割り増し加算され、利用回数の多い顧客に応じてサービスを提供することができる。
【００１９】
請求項５に記載の発明によれば、管理サーバと管理サーバ以外のサーバとが顧客の電話番号によりリンク可能であり、新しい情報提案が可能になる。また、記憶媒体をポイントカードなどの会員カードの代わりに利用でき、記憶媒体の利用範囲が拡大する。さらに、リンクする電話番号は、暗号化部分と非暗号化部分とを含み、個人情報の保護となる。
【００２０】
請求項６に記載の発明によれば、記憶媒体に記録された画像データのプリントコマ数が無料プリント設定コマ数以上選択されると警告し、無料プリント設定コマ数以内選択されると次のプリント可能コマ数を知らせ、顧客に無料プリントの状況を知らせることで有効利用を図ることができる。
【発明を実施するための最良の形態】
【００２１】
以下、この発明のプリント作成システムの実施の形態を図面に基づいて詳細に説明する。この発明の実施の形態は、発明の最も好ましい形態を示すものであり、この発明はこれに限定されない。
【００２２】
[発明のプリント作成システムの設置]
この発明のプリント作成システムは、記憶媒体を用いるセルフプリント形式のシステムである。このプリント作成システムは、受付機器及びプリンタを備え、記憶媒体に記憶された画像データをプリントする。
【００２３】
このプリント作成システムは、フォト・カメラ店に設置されるが、さらにデジタルカメラをプレゼントする協賛会社（スーパー・家電など）に所定期間中設置することができる。また、居酒屋・ファミリーレストラン・カラオケ・レストランなどの飲食店・外食産業店に設置することができる。また、例えば観光地の施設内に設置してもよい。さらには、キャリアショップ、駅キオスク、駅待合室、飛行場ロビー、コンサート会場、ショップイベント会場、レンタルショップ、ＢＯＯＫスタンド、書店などフォト・カメラ店と異なる異業種店に設置することができる。
【００２４】
[記憶媒体]
この実施の形態の記憶媒体は、例えばデジタルカメラ等で撮影して得られたデジタル画像データを記録するメモリカードであり、このメモリカードとしてスマートメディア、メモリスティックなどがある。
【００２５】
この記憶媒体には、ＩＤ機能、利用ポイント機能、無料プリント機能、プリペイド機能など各種の機能を付与することができる。
【００２６】
ＩＤ機能は、記憶媒体を特定し、記憶媒体の管理や顧客管理などに利用される。
利用ポイント機能は、例えば所定枚数プリントとすると、枚数ポイントがつき、このポイントで買い物、商品引換え、割引きサービスなどが可能になる（レシートに枚数ポイント記載、１枚を１ポイントで積算し、記憶媒体がポイントカードの代わりになる）。
【００２７】
無料プリント機能は、例えば購入時にＬ判２０枚、無料プリント付きとすることができる。この無料プリント機能を有する記憶媒体により、例えば毎回１００枚以上プリントすると、１０枚分が無料になるようにし、１０％オフとすることができる。また、指定枚数プリントすると割引き情報を表示し、レシートに割引券印刷（１０００枚プリントありがとうございます。商品割引き２０％券プレゼント）などができる。また、例えば５０枚以上プリントで次回の無料プリント５枚サービスとすることができる。
【００２８】
また、記憶媒体を受付端末へアクセス時、例えばお買得商品など限定商品がポップアップしたり、レシートに記載されたりする。
【００２９】
また、記憶媒体に顧客の氏名、電話番号などを承認後に保存することで、記憶媒体を受付機器に差し込むと、例えば「いらっしゃいませ○○様」とウエルカム表示し、次回注文時に氏名、電話番号の再入力が不要になる。
【００３０】
また、記憶媒体は、例えばデジタルカメラ等で撮影して得られたデジタル画像データだけでなく、動画・音楽・テキストの購入にも活用できる。
【００３１】
例えば、駅キオスクでの画像・音楽ダウンロードに記憶媒体を用いることができる。記憶媒体に映画・音楽・ＴＶなどの画像をダウンロードすると、記憶媒体が限定されるため、履歴管理や顧客管理が可能である。キャリアメーカーとの提携で、パケット定額顧客のみ店頭キオスクより直接記憶媒体へのコンテンツコピーが可能である。提供コンテンツとしては、ＴＶドラマ、映画、ライブ、教育、趣味などがあり、記憶媒体にダウンロードすることで携帯の画面で移動中に鑑賞することができる。また、コンサート、ショップイベントでの限定画像のダウンロードサービスも可能である。
【００３２】
また、例えば駅キオスクでの新聞・文庫本・漫画のダウンロードに記憶媒体を用いることができる。月額契約で毎朝、駅で新聞情報を記憶媒体にコピーし、携帯電話・ＰＤＡ・ＰＣなどにセットして移動中に見ることができる。
【００３３】
[実施の形態1のプリント作成システムの構成]
図１はプリント作成システムの実施の形態例を示す概略図である。このプリント作成システム１００は、受付機器１０１と、プリンタ１０２とを備えている。顧客は、記憶媒体１０３を受付機器１０１にセットすると、操作画面１０１ａに注文用の画像が表示される。顧客は、操作画面１０１ａで、サムネイル画像を確認しプリントサイズ、枚数などを設定し、あるいは確認する。また、ベンディング部（硬貨識別機・紙幣識別機）１０１ｂでプリント料金（紙幣や硬貨）を投入できる。これにより、プリントの注文の内容に従って画像のプリントが開始される。顧客は、作成されたプリントをプリンタ１０２の取出口１０２ａから受け取る。このプリンタ１０２は、内部に銀塩プリントシステムを備え、画像データに従って印画紙に露光現像を行ってプリントを作成するが、その詳細な説明は省略する。プリンタ１０２は、銀塩プリントシステムを用いないで、熱転写プリントシステム、インクジェットプリントシステムを備えてもよい。
【００３４】
図２はプリント作成システムを示すブロック図である。
【００３５】
受付機器１０１は、制御手段を構成するマイクロコンピュータ１１０と、操作手段を構成する操作部１１１と、表示手段を構成する表示部１１２とを有する。マイクロコンピュータ１１０は、装置全体を制御し、このマイクロコンピュータ１１０の制御のもとで、プリンタ１０２によりプリント及びレシートを出力し、表示部１１２により操作指示、受付状況の情報などに関するメッセージを表示する。操作部１１１と表示部１１２は、例えば液晶のタッチパネルの操作画面１０１ａに設けられる。
【００３６】
この実施の形態では、予め決まったプリント作成条件でプリントするための情報を記憶媒体１０３に有する。マイクロコンピュータ１１０は、記憶媒体１０３に記録された画像データと、予め決まったプリント作成条件でプリントするための情報を得、プリンタ１０２により記憶媒体１０３に記録された画像データを予め決まったプリント作成条件によりプリントを行わせる。
【００３７】
記憶媒体１０３としては、メモリカードが用いられ、このメモリカードとしては、スマートメディア、メモリスティックなどである。記憶媒体１０３を例えばデジタルカメラ等にセットし、撮影して得られたデジタル画像データを記憶媒体１０３に記憶する。
【００３８】
予め決まったプリント作成条件でプリントするための情報とは、予め決まったプリント作成条件の情報、記憶媒体固有の情報、記憶媒体種別の情報などである。
【００３９】
予め決まったプリント作成条件の情報とは、例えばデジタルカメラ等で撮影して得られたデジタル画像データの全コマを、自動的にプリントするための条件である。例えば、「全コマ、Ｌ判サイズ、1枚ずつ、有料」、「全コマ、Ｌ判サイズ、1枚ずつ、無料」、「全コマ、サービスサイズ、1枚ずつ、有料」、「全コマ、サービスサイズ、1枚ずつ、無料」などの予め決まったプリント作成条件がある。
【００４０】
記憶媒体固有の情報とは、それぞれの記憶媒体に付された固有の情報である。例えば、ID、生産番号、メーカ番号などの記憶媒体を特定するための情報である。この記憶媒体ごとの固有の情報に対応して予め決まったプリント作成条件が定まっている。例えば、特定の記憶媒体のIDに対応して「全コマ、Ｌ判サイズ、1枚ずつ、有料」、または「全コマ、Ｌ判サイズ、1枚ずつ、無料」などの予め決まったプリント作成条件が定まっている。
【００４１】
記憶媒体種別の情報とは、たとえば記録媒体の記憶容量による種別、単価による種別、メーカによる種別、ある販売店で販売された記憶媒体を他の販売店で販売された記憶媒体とを識別するための種別、あるいは特定の日や期間に販売された記憶媒体を他の特定の日や期間に販売された記憶媒体とを識別するための種別などである。例えば、記憶容量の少ない記憶媒体、単価の安い記憶媒体をキャンペーン商品として無料にしたり、キャンペーンとして販売店を特設し、この特設の販売店で販売された記憶媒体を記憶媒体のプリントは無料にするなどのサービスとする場合がある。また、例えば、販売店が特定の日や期間に記憶媒体を購入した場合には、販売された記憶媒体のプリントは無料にするなどのサービスとする場合などがある。このような場合には、記憶媒体種別の情報をそれぞれの記録媒体に記憶する。この記憶媒体種別の情報に対応して予め決まったプリント作成条件が定まっている。例えば、特定の販売期間に販売された記憶媒体に対応して「全コマ、Ｌ判サイズ、1枚ずつ、無料」などの予め決まったプリント作成条件が定まっている。
【００４２】
予め決まったプリント作成条件でプリントするための情報は、記憶媒体１０３の生産時又は販売時などに記憶媒体１０３に入力される。顧客は予め決まったプリント作成条件情報が記憶された記憶媒体１０３を購入し、例えばデジタルカメラ等で撮影してデジタル画像データを記憶する。
【００４３】
次に、記憶媒体１０３によるプリントについて図３及び図４に基づいて説明する。
【００４４】
図３は受付機器１０１の操作画面１０１ａを示す図である。顧客が記憶媒体１０３を受付機器１０１にセットすると、サービスメニューの選択で初期画面１１１ａが表示され、所定時間後に記憶媒体のセット指示画面１１１ｂに切り替わる。記憶媒体１０３をセットすると、プリントサイズ表示画面１１１ｃに切り替わり自動プリントが行われる。
【００４５】
図4はプリント作成システムの動作フローを説明する図である。記憶媒体１０３が受付機器１０１にセットされると（ステップａ１）、記憶媒体１０３に記録された画像データと、予め決まったプリント作成条件でプリントするための情報が読み込まれる（ステップａ２）。
【００４６】
予め決まったプリント作成条件でプリントするための情報は、記憶媒体１０３から読み込まれ、予め決まったプリント作成条件の情報、記憶媒体固有の情報、記憶媒体種別の情報などである。マイクロコンピュータ１１０は、プリンタ１０２により記憶媒体１０３に記録された画像データを、予め決まったプリント作成条件の情報、記憶媒体固有の情報、記憶媒体種別の情報などのプリントするための情報により予め決まったプリント作成条件によって自動的にプリントを行わせる（ステップａ３）。
【００４７】
このように、記憶媒体１０３を受付機器１０１にセットすると、特別な操作を行うことなく記憶媒体１０３に記録された画像データと、予め決まったプリント作成条件でプリントするための情報とが入力され、記憶媒体１０３に記録された画像データを予め決まったプリント作成条件によりプリントが行われる。
【００４８】
顧客によっては決まったモードでしかプリントしない人も多く、特に高齢者は、例えば全コマＬ判プリントができればよい場合が多いが、このような顧客は、記憶媒体１０３を受付機器１０１にセットするだけで特別な操作を行うことなく、自動的にプリントを行うことができ、面倒な操作もなく、入力間違いもなくなる。
【００４９】
また、例えば、キャンペーンとして、販売店が特定の日や期間に記憶媒体を販売し、販売された記憶媒体のプリントは無料にするなどのサービスとする場合などがあるが、このような場合には、記憶媒体種別の情報として販売店名、販売日などを、販売されたそれぞれの記録媒体に記憶しておくことで、顧客は特別な操作を行うことなく、記録媒体１０３から自動的にプリントを行うことができて顧客に対するサービス商品となる。
【００５０】
この実施の形態の記憶媒体１０３は、画像データの所定コマを無料でプリントする無料プリント機能を有する場合がある。記憶媒体１０３は、画像データの所定コマを無料でプリントする無料プリント機能を有し、無料プリント機能として、記憶媒体１０３の生産時、又は販売時に、例えば、Ｌ判サイズが２０コマ無料設定される場合がある。この場合には、記憶媒体１０３に無料プリント設定情報を予め記憶しておく。
【００５１】
記憶媒体１０３を受付機器１０１にセットすると、マイクロコンピュータ１１０は、セットされた記憶媒体１０３から記憶媒体１０３に記録された画像データと、無料プリント設定情報とを入力する。そして、マイクロコンピュータ１１０は、無料プリント設定情報と記憶媒体１０３に記録された画像データのプリントコマ数とを比較し、プリントコマ数が無料プリント設定コマ数以上選択されると表示部１１２に警告表示し、無料プリント設定コマ数以内選択されると表示部１１２に次のプリント可能コマ数を表示する。
【００５２】
この場合の記憶媒体１０３のプリントを、図５及び図６に基づいて説明する。
【００５３】
図５は受付機器の操作画面を示す図である。受付機器１０１の操作画面１０１ａは、サービスメニューの選択で初期画面３１１ａが表示され、所定時間後に記憶媒体のセット指示画面３１１ｂに切り替わる。記憶媒体１０３をセットすると、プリントサイズ選択画面３１１ｃに切り替わり、プリントサイズを選択する。記憶媒体１０３に記録された画像データのプリントコマ数が無料プリント設定コマ数以上、例えば２０コマ以上が選択されると、操作画面の表示部１１２に警告表示し、無料プリント設定コマ数以内選択されると、操作画面の表示部１１２に次のプリント可能コマ数を表示する。
【００５４】
図６はプリント作成システムの動作フローを説明する図である。記憶媒体１０３が受付機器１０１にセットされると（ステップｃ１）、記憶媒体１０３に記録された画像データと、無料プリント設定情報とが読み込まれる（ステップｃ２）。
【００５５】
ステップｃ３において、無料プリント設定情報の有無を判断し、記憶媒体１０３から無料プリント設定情報が読み込まれた場合には、ステップｃ４において、記憶媒体１０３に記録された画像データのプリントコマ数が無料プリント設定コマ数以内かが判断される。
【００５６】
また、ステップｃ３において、無料プリント設定情報の有無を判断し、記憶媒体１０３から無料プリント設定情報が読み込まれない場合には終了する。ステップｃ４において、記憶媒体１０３に記録された画像データのプリントコマ数が無料プリント設定コマ数以内かが判断される。
【００５７】
無料プリント設定コマ数以上が選択されると表示部１１２に警告表示し（ステップｃ６）、無料プリント設定コマ数以内選択されると表示部１１２に次のプリント可能コマ数を表示し（ステップｃ７）、プリンタ１０２により記憶媒体１０３に記録された画像データをプリントし、顧客に無料プリントの状況を知らせることで有効利用を図ることができる（ステップｃ８）。
【００５８】
また、記憶媒体１０３は、画像データのコマをプリントするプリント料金を予め記憶しておき、このプリント料金により支払いができるプリペイド機能を有するようにしてもよい。顧客は、プリペイド機能を有する記憶媒体１０３を受付機器１０１にセットし、操作画面に注文用の画像が表示される。顧客は、操作画面で、サムネイル画像を確認しプリントサイズ、枚数などを設定し、あるいは確認し、料金を投入することなくプリントが開始される。
【００５９】
この発明に係るプリント作成システムは、プリント時間に応じた演出を実行するように構成することができる。
【００６０】
図7は主要部のブロック図である。このプリント作成システム１００は、マイクロコンピュータ１１０が記憶媒体毎の画像データのプリント時間を演算するプリント時間演算手段４１０と、プリント時間に応じた演出を実行する演出実行手段４１１とを備える。
【００６１】
演出実行手段４１１は、プリンタ１０２によりプリントされるプリント時間に応じ、表示部１１２においてプリント時間に応じた演出を実行する。例えば、２０枚プリントされる場合には１０枚ごとに、３０枚プリントされる場合には８枚ごとにプリント待ち時間中にルーレットが回り、あたりで景品引換えなどのアトラクションを行うことができる。また、プリント時間の長さによって、その時間に対応した異なるゲームを選択して起動させてもよく、プリント待ち時間を有効活用して顧客により一層のサービスを提供できる。
【００６２】
[実施の形態2のプリント作成システムの構成]
図8はプリント作成システムの実施の形態例を示す概略図である。このプリント作成システム１００は、図１に示す実施の形態と同様な受付機器１０１と、プリンタ１０２とを備え、受付機器１０１はインターネット１０４を介して管理サーバ１０５に接続されている。
【００６３】
管理サーバ１０５には、インターネット１０４を介して記憶媒体の生産管理者の端末１０６、記憶媒体の販売管理者の端末１０７などが接続されている。生産管理者の端末１０６、販売管理者の端末１０７から記憶媒体１０３のＩＤ機能、利用ポイント機能、無料プリント機能、プリペイド機能などの記憶媒体１０３に関するデータが管理サーバ１０５に登録される。また、販売管理者の端末１０７からは、さらに顧客の氏名、住所、電話番号といった顧客特定情報などの顧客に関するデータが管理サーバ１０５に登録される。
【００６４】
管理サーバ１０５は、記憶媒体１０３に関するデータから記憶媒体１０３の管理、各種機能のデータの管理を行い、顧客に関するデータから顧客の管理を行う。また、顧客に関するデータから他の会員管理サーバなどとのリンクを行うことができる。
【００６５】
図９はプリント作成システムを示すブロック図である。このプリント作成システムは、受付機器１０１が、制御手段を構成するマイクロコンピュータ１１０と、操作手段を構成する操作部１１１と、表示手段を構成する表示部１１２と、管理サーバ１０５と通信する通信手段１１３とを有する。
【００６６】
このプリント作成システムは、予め決まったプリント作成条件でプリントするための情報を管理サーバ１０５に有する。この予め決まったプリント作成条件でプリントするための情報は、記憶媒体１０３の生産時又は販売時に端末１０６,１０７から入力され、管理サーバ１０５に予め登録される。
【００６７】
管理サーバ１０５に登録された予め決まったプリント作成条件でプリントするための情報に対応付する情報を記憶媒体１０３に有する。この対応付する情報は、記憶媒体１０３の生産時又は販売時に記憶媒体１０３に記憶される。
【００６８】
この予め決まったプリント作成条件でプリントするための情報は、実施の形態1と同様に予め決まったプリント作成条件の情報、記憶媒体固有の情報、記憶媒体種別の情報などである。
【００６９】
予め決まったプリント作成条件でプリントするための情報に対応付する情報は、管理サーバ１０５に登録された予め決まったプリント作成条件でプリントするための情報、例えば予め決まったプリント作成条件の情報、記憶媒体固有の情報、記憶媒体種別の情報などを特定することができる情報であり、例えば記憶媒体のID、記憶媒体のIDと販売店情報、記憶媒体のIDと販売日情報などである。
【００７０】
受付機器１０１に記憶媒体１０３をセットし、操作部１１１からの操作で記憶媒体１０３から記憶媒体１０３に記録された画像データと、プリントするための情報に対応付する情報とが入力される。マイクロコンピュータ１１０は、対応付する情報に基づき管理サーバ１０５のプリントするための情報を得る。たとえば、記憶媒体１０３から対応付する情報として記憶媒体のＩＤが入力されると、管理サーバ１０５に登録されたＩＤと一致する場合には、このＩＤによって予め決まったプリント作成条件を得る。また、記憶媒体１０３から対応付する情報として記憶媒体のＩＤと販売店情報が入力されると、管理サーバ１０５に登録されたＩＤと販売店情報と一致する場合には、このＩＤと販売店情報によって予め決まったプリント作成条件を得る。
【００７１】
このように、マイクロコンピュータ１１０は、対応付する情報に基づき管理サーバ１０５のプリントするための情報を得、プリンタ１０２を制御して記憶媒体１０３に記録された画像データを予め決まったプリント作成条件によりプリントする。
【００７２】
図１０はプリント作成システムの動作フローを説明する図である。記憶媒体１０３が受付機器１０１にセットされると（ステップａ１１）、記憶媒体１０３に記録された画像データと、予め決まったプリント作成条件でプリントするための情報に対応付する情報が読み込まれる（ステップａ２１）。マイクロコンピュータ１１０は、対応付する情報に基づき管理サーバ105の予め決まったプリント作成条件でプリントするための情報を読み込む（ステップａ３１）。
【００７３】
例えば、記憶媒体１０３から対応付する情報として記憶媒体のＩＤが入力されると、管理サーバ１０５に登録されたＩＤと一致する場合には、このＩＤによって予め決まったプリント作成条件を得て、プリンタ１０２により記憶媒体１０３に記録された画像データを予め決まったプリント作成条件により自動的にプリントを行わせる（ステップａ４１）。このように、記憶媒体１０３を受付機器１０１にセットすると、特別な操作を行うことなく、記憶媒体１０３に記録された画像データを予め決まったプリント作成条件によりプリントが行われる。
【００７４】
図１１は操作画面のフローである。この実施の形態では、受付機器１０１の操作画面１０１ａには、サービスメニューの選択で初期画面２１１ａが表示され、所定時間後に記憶媒体のセット指示画面２１１ｂに切り替わる。記憶媒体１０３をセットすると、プリントサイズ確認画面２１１ｃに切り替わり、一定時間以内にキー操作が行われないと予め決まったプリント作成条件による自動的にプリントが行われる。
【００７５】
プリントサイズ確認画面２１１ｃにおいて、一定時間以内にキー操作が行われ、例えばプリントサイズの変更、あるいはプリントモードの選択が行われると、プリントモード変更画面２１１ｄに切り替わる。プリントモード変更画面２１１ｄでは、自動プリントモードの選択で変更されたプリントサイズにより自動プリントが行われ、またプリント条件入力モードの選択でプリント条件を入力してプリントする。
【００７６】
図１２はプリント作成システムの動作フローチャートである。記憶媒体１０３が受付機器１０１にセットされると（ステップｂ１）、記憶媒体１０３に記録された画像データと、予め決まったプリント作成条件でプリントするための情報に対応付する情報が読み込まれ、マイクロコンピュータ１１０は、対応付する情報に基づき管理サーバ１０５の予め決まったプリント作成条件でプリントするための情報を読み込む（ステップｂ２）。マイクロコンピュータ１１０は、操作部１１１から一定時間以内にキー操作が行われないと（ステップｂ３）、ステップｂ４において、プリンタ１０２により記憶媒体１０３に記録された画像データを予め決まったプリント作成条件により自動的にプリントを行わせる。
【００７７】
ステップｂ３において、操作部１１１から一定時間以内にキー操作が行われると、記憶媒体１０３に記録された画像データを予め決まったプリント作成条件による自動プリントが解除され（ステップｂ５）、ステップｂ６に移る。
【００７８】
ステップｂ６において、自動プリントモードとプリント条件入力モードの選択が行われ、自動プリントモードの選択でステップｂ４に移り、プリンタ１０２により記憶媒体１０３に記録された画像データをステップｂ３の操作で入力された予め決まったプリント作成条件により自動的にプリントを行わせる。また、ステップｂ６において、プリント条件入力モードが選択されると、操作画面１０２ａよりサイズ、枚数などのプリント作成条件情報が入力される（ステップｂ７）。
【００７９】
ステップｂ８において、入力されたプリント作成条件と過去のプリント作成条件の履歴と比較し、同じプリント作成条件のモードを複数回（２回、３回・・）実施されていると、次回からそのプリント作成条件のモードで良いかの判断を行う（ステップｂ９）。次回からそのプリント作成条件のモードでプリントする場合には、操作画面１０１ａの登録キーを押し（ステップｂ１０）、ステップｂ１１に移り入力されたプリント作成条件でプリントされる。
【００８０】
ステップｂ８において、入力されたプリント作成条件と過去のプリント作成条件の履歴と比較し、同じプリント作成条件のモードが実施されていない場合、またステップｂ９において、登録しない場合には、ステップｂ１１に移り入力されたプリント作成条件でプリントされる。
【００８１】
このプリント作成システム１００は、実施の形態１と同様に、プリンタ１０２によりプリントされるプリント時間に応じ、表示部１１２においてプリント時間に応じた演出を実行することができる。また、実施の形態１と同様に、画像データの所定コマを無料でプリントする無料プリント機能を有する記憶媒体１０３が使用できる。
【００８２】
また、このプリント作成システム１００は、記憶媒体１０３が利用ポイント機能を有するものを用いることができる。図１３はプリント作成システムを示す主要部のブロック図である。
【００８３】
マイクロコンピュータ１１０は、利用ポイントを一定期間に記憶媒体１０３の画像データがプリントされた回数に基づいて割り増し加算する利用ポイント演算手段５１０を備える。顧客の受付機器１０１の利用状況は、管理サーバ１０５により管理されており、利用ポイント演算手段５１０は、顧客が記憶媒体１０３を受付機器１０１にセットすると、記憶媒体１０３に記録された記憶媒体１０３を特定する記憶媒体特定情報を読み込み、この記憶媒体特定情報から管理サーバ１０５により管理されている記憶媒体１０３の利用回数情報を得る。
【００８４】
利用ポイント演算手段５１０は、記憶媒体１０３の利用回数が一定期間に所定回数以上であると、画像データがプリントされた回数に基づいて割り増し加算する。利用ポイント演算手段５１０は、顧客が記憶媒体１０３を受付端末１０１にセットする回数によって、あるいは実際にプリントする回数によって利用ポイントをカウントし加算する。例えば、６ヶ月という一定期間内に１０回以上プリントされると、通常１０ポイントに加え、５ポイントを割り増し加算する。
【００８５】
利用ポイントは、プリント枚数に換算してもよいし、プリント価格に換算してもよい。例えば、所定利用ポイントになると、毎月２０枚までは通常売価の半額でプリントすることが可能とすることもできる。
【００８６】
このように、利用ポイントが一定期間内に記憶媒体の画像データがプリントされた回数に基づいて割り増し加算されることで、利用回数の多い顧客に応じてサービスを提供することができるので、顧客の来店頻度を高めることができる。
【００８７】
また、このプリント作成システム１００は、図１４に示すように構成することができる。図１４はプリント作成システムを示す主要部のブロック図である。このプリント作成システム１００は、受付機器１０１から登録画面より顧客の氏名、住所、電話番号、Ｅ−ｍａｉｌなどの顧客特定情報が入力され、記憶媒体１０３、管理サーバ１０５に登録され、管理サーバ１０５により顧客や記憶媒体１０３の管理が行われる。この管理サーバ１０５が接続されたインターネット１０４には、管理サーバ以外のサーバ、例えばポイントカード５０１の会員管理サーバ５０２が接続される。端末５０３からポイントカード５０１の会員の氏名、住所、電話番号などの会員特定情報が入力され、ポイントカード５０１、会員管理サーバ５０２に登録され、ポイントカード５０１や会員の管理が行われる。
【００８８】
この実施の形態では、管理サーバ１０５と管理サーバ以外のサーバ、例えば会員管理サーバ５０２が顧客の電話番号によりリンク可能であり、受付機器１０１から顧客特定情報をクリックすることで会員管理サーバ５０２にアクセスすることができ、新しい情報提案が可能になる。また、記憶媒体１０３をポイントカード５０１などの会員カードの代わりに利用でき、記憶媒体１０３の利用範囲が拡大する。さらに、リンクする電話番号は、例えば、「０３ＸＸＸＸ２８５６」と表示され、暗号化部分と非暗号化部分とを含み、個人情報の保護となる。
【産業上の利用可能性】
【００８９】
この発明は、記憶媒体に記録された画像データを予め決まったプリント作成条件により、特別な操作を行うことなく顧客に応じたプリントを自動的に行なうことができる。
【図面の簡単な説明】
【００９０】
【図１】プリント作成システムの実施の形態1を示す概略図である。
【図２】プリント作成システムを示すブロック図である。
【図３】操作画面のフローである。
【図４】プリント作成システムの動作フローチャートである。
【図５】操作画面のフローである。
【図６】プリント作成システムの動作フローチャートである。
【図７】プリント作成システムを示す主要部のブロック図である。
【図８】プリント作成システムの実施の形態2を示す概略図である。
【図９】プリント作成システムを示す主要部のブロック図である。
【図１０】プリント作成システムの動作フローチャートである。
【図１１】操作画面のフローである。
【図１２】プリント作成システムの動作フローチャートである。
【図１３】プリント作成システムを示す主要部のブロック図である。
【図１４】プリント作成システムを示す主要部のブロック図である。
【符号の説明】
【００９１】
１００  プリント作成システム
１０１  受付機器
１０１ａ  操作画面
１０１ｂ  ベンディング部（硬貨識別機・紙幣識別機）
１０２  プリンタ
１０２ａ  取出口
１０３  記憶媒体
１０４  インターネット
１０５  管理サーバ
１０６  記憶媒体の生産管理者の端末
１０７  記憶媒体の販売管理者の端末
１１０  マイクロコンピュータ
１１１  操作部
１１２  表示部
１１３  通信手段
【図１】
2006263922.tif 000003
【図２】
2006263922.tif 000004
【図３】
2006263922.tif 000005
【図４】
2006263922.tif 000006
【図５】
2006263922.tif 000007
【図６】
2006263922.tif 000008
【図７】
2006263922.tif 000009
【図８】
2006263922.tif 000010
【図９】
2006263922.tif 000011
【図１０】
2006263922.tif 000012
【図１１】
2006263922.tif 000013
【図１２】
2006263922.tif 000014
【図１３】
2006263922.tif 000015
【図１４】
2006263922.tif 000016